【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】
【請求項１】  第１の電子制御システム（Ｍ２）および少なくとも第１の電気的負荷（Ｌ１；Ｌ２、ＬＮ）を有する電気機器（ＨＡ；ＨＡ１〜ＨＡ５）、特に家庭用電気機器と、
電源（アウトレット）と上記第１の電気的負荷（Ｌ１；Ｌ２、ＬＮ）の間の電線上に位置し、第２の電子制御システム（Ｍ１；ＭＣ）を有する監視または制御装置（ＳＡ；ＭＳＡ）と、
を含む、それぞれの電子制御システム（ＨＡ、ＳＡ；ＨＡ１〜ＨＡ５、ＭＳＡ）を有する２つの装置の間で、上記電線上でデータまたは情報を送信／受信する方法であって、
上記電線上でのデータまたは情報の送信／受信が、上記電気機器（ＨＡ；ＨＡ１〜ＨＡ５）と上記装置（ＳＡ；ＭＳＡ）の間および／または上記装置と上記電気機器の間で電力の変調によって行われ、
特徴として、
上記電気機器（ＨＡ；ＨＡ１〜ＨＡ５）から上記装置（ＳＡ；ＭＳＡ）への上記電線上でのデータまたは情報の送信が、上記第１の制御システム（Ｍ２）の制御の下で上記第１の電気的負荷（Ｌ１；Ｌ２、ＬＮ）によって消費または吸収される電力または電流の変調によって行われ、上記電気機器（ＨＡ；ＨＡ１〜ＨＡ５）によって送信されるデータまたは情報が、上記第１の電気的負荷（Ｌ１；Ｌ２、ＬＮ）の電力または電流の制御された吸収によって符号化され、
データまたは情報の受信（ＳＡ；ＭＳＡ）が、上記装置（ＳＡ；ＭＳＡ）の上記第２の制御システム（Ｍ１；ＭＣ）によって上記制御された吸収を復号することによって行われるものである、
方法。
【請求項２】  １ビットが幹線電圧の各半波に対応付けられ、所定の閾値より大きい値が、特に上記制御された吸収の各々に割り当てられることを特徴とする、請求項１に記載の方法。
【請求項３】  上記電気機器（ＨＡ；ＨＡ１〜ＨＡ５）から上記装置（ＳＡ；ＭＳＡ）へ送信される２進データが、
−  正論理で符号化され、ここで、論理“１”が上記制御された吸収の中の１つの存在に対応し、論理“０”が電力吸収の不存在に対応し、または
−  負論理で符号化され、ここで、論理“０”が上記制御された吸収の中の１つの存在に対応し、論理“１”が電力吸収の不存在に対応すること
を特徴とする、請求項１に記載の方法。
【請求項４】  上記制御された吸収が幹線半サイクルの一部分であり、特に上記電気的負荷（Ｌ１）に対応付けられ幹線サイクルの４分の１に関連する瞬間電力または電流に等しいことを特徴とする、請求項３に記載の方法。
【請求項５】  上記電気機器（ＨＡ；ＨＡ１〜ＨＡ５）から上記装置（ＳＡ；ＭＳＡ）へ送信される２進データを形成するビット・シーケンスの前に送信開始信号（スタート）が先行し、この送信開始信号が、特に、幹線サイクルに関連する上記第１の電気的負荷（Ｌ１）の最大電力に等しい電力吸収によって表されることを特徴とする、請求項１に記載の方法。
【請求項６】  数ビットが幹線電圧の各半波に対応付けられることを特徴とする、請求項１に記載の方法。
【請求項７】  可変量の値が、特に基本吸収（Ｐ０）の多重の形で表現される、上記制御された吸収の各々に割り当てられることを特徴とする、請求項６に記載の方法。
【請求項８】  ４ビット２進構成または“ニブル”が幹線電圧の各半波に対応付けられることを特徴とする、請求項６または７に記載の方法。
【請求項９】  上記第１の制御システム（Ｍ２）が幹線電圧の一部分だけを上記第１の電気的負荷（Ｌ１；Ｌ２、ＬＮ）に印加することを特徴とする、請求項１に記載の方法。
【請求項１０】  上記電線上で上記装置（ＳＡ；ＭＳＡ）と上記電気機器（ＨＡ；ＨＡ１〜ＨＡ５）の間で双方向にデータまたは情報が交換され、
−  上記装置（ＳＡ；ＭＳＡ）から上記電気機器（ＨＡ；ＨＡ１〜ＨＡ５）への上記電線上でのデータまたは情報の送信が、上記第２の制御システム（Ｍ１；ＭＣ）の制御の下で上記電気機器（ＨＡ；ＨＡ１〜ＨＡ５）に供給される電力または電流の変調によって行われ、上記装置（ＳＡ；ＭＳＡ）によって送信されるデータまたは情報が、上記装置（ＳＡ；ＭＳＡ）から上記電気機器（ＨＡ；ＨＡ１〜ＨＡ５）への電気幹線の供給に対する制御された割込みによって符号化され、
−  データまたは情報の受信が、上記電気機器（ＨＡ；ＨＡ１〜ＨＡ５）の上記第１の制御システム（Ｍ２）によって上記制御された割込みを復号することによって行われること
を特徴とする、請求項１に記載の方法。
【請求項１１】  １ビットが幹線電圧の各半波に対応付けられ、所定の持続時間が、特に、各半波に関連する上記制御された割込みの各々に設定されることを特徴とする、請求項１０に記載の方法。
【請求項１２】  上記装置（ＳＡ；ＭＳＡ）から上記電気機器（ＨＡ；ＨＡ１〜ＨＡ５）へと送信される２進データが、
−  正論理で符号化され、ここで、論理“１”が上記制御された割込みの中の１つの存在に対応し、論理“０”がその不存在に対応し、または
−  負論理で符号化され、ここで、論理“０”が上記制御された割込みの中の１つの存在に対応し、論理“１”がその不存在に対応すること
ことを特徴とする、請求項１０に記載の方法。
【請求項１３】  上記制御された割込みの持続時間が、幹線半サイクルの一部分、特に幹線サイクルの４分の１に等しいことを特徴とする、請求項１２に記載の方法。
【請求項１４】  上記電気機器（ＨＡ；ＨＡ１〜ＨＡ５）から上記装置（ＳＡ；ＭＳＡ）へ送信される２進データを形成するビット・シーケンスの前に送信開始信号（スタート）が先行し、この送信開始信号が、特に幹線半サイクルに等しい実際のデータの１ビットに対応付けられたものより長い持続時間を有する上記制御された割込みの中の１つで特に表されることを特徴とする、請求項１０に記載の方法。
【請求項１５】  数ビットが幹線電圧の各半波に対応付けられることを特徴とする、請求項１０に記載の方法。
【請求項１６】  可変の持続時間が上記制御された割込みの各々に割り当てられ、特に基本持続時間（Ｄ０）の多重の形で表現されることを特徴とする、請求項１５に記載の方法。
【請求項１７】  ４ビット２進構成または“ニブル”が幹線電圧の各半波に対応付けられることを特徴とする、請求項１５または１６に記載の方法。
【請求項１８】  第１の電子制御システム（Ｍ２）および少なくとも第１の電気的負荷（Ｌ１；Ｌ２、ＬＮ）を有する電気機器（ＨＡ；ＨＡ１〜ＨＡ５）、特に家庭用電気機器と、
電源と上記第１の電気的負荷（Ｌ１；Ｌ２、ＬＮ）の間の電線上に位置し、第２の電子制御システム（Ｍ１；ＭＣ）を有する監視または制御装置（ＳＡ；ＭＳＡ）と、
を含む、それぞれの電子制御システム（ＨＡ、ＳＡ；ＨＡ１〜ＨＡ５、ＭＳＡ）を有する２つの装置の間で、上記電線上でデータまたは情報を送信／受信するシステムであって、
上記電気機器（ＨＡ；ＨＡ１〜ＨＡ５）と上記装置（ＳＡ；ＭＳＡ）の間および／または上記装置と上記電気機器の間で電力の変調によって、上記電線上でのデータまたは情報の送信／受信を行う手段が設けられ、
特徴として、
上記手段は、
上記第１の制御システム（Ｍ２）によって制御されて、上記第１の電気的負荷（Ｌ１；Ｌ２、ＬＮ）によって消費または吸収される電力または電流の変調を行う、上記電気機器（ＨＡ；ＨＡ１〜ＨＡ５）の送信段または送信機（Ｌ１、Ｔ１、０１；Ｌ２、Ｔ２、Ｏ２、ＬＮ、ＴＮ、ＬＮ）を具え、
上記電気器の上記送信機は、上記第１の電気的負荷（Ｌ１；Ｌ２、ＬＮ）による制御された電力の吸収によってデータまたは情報を符号化する手段（Ｌ１、Ｔ１、０１；Ｌ２、Ｔ２、Ｏ２、ＬＮ、ＴＮ、ＬＮ）を具えるものであり、
上記手段は、
さらに、上記第２の制御システム（Ｍ１；ＭＣ）によって制御されて、上記第１の電気的負荷（Ｌ１；Ｌ２、ＬＮ）によって吸収される電力または電流の上記変調を復号する、上記装置（ＳＡ；ＭＳＡ）の受信段または受信機（ＰＭ、Ｓ、ＺＤ）を具え、
上記装置の上記受信機は、上記制御された吸収によって表されるデータまたは情報を復号する手段（ＰＭ、Ｓ、ＺＤ）を具えるものである、
システム。
【請求項１９】  上記符号化手段が、上記第１の電気的負荷（Ｌ１；Ｌ２、ＬＮ）に対応付けられた、トライアック（Ｔ１；Ｔ２、ＴＮ）等の固体スイッチまたはリレーを具えることを特徴とする、請求項１８に記載のシステム。
【請求項２０】  上記固体スイッチまたはリレー（Ｔ１；Ｔ２、ＴＮ）のイネーブル信号（Ｏ１；Ｏ２、ＯＮ）が、マイクロコントローラ（Ｍ２）によって管理され、幹線電圧ゼロ交差を検出する信号（ＺＤ）に同期していることを特徴とする、請求項１９に記載のシステム。
【請求項２１】  上記復号手段（ＰＭ、Ｓ、ＺＤ）が電力計（ＰＭ）を具えることを特徴とする、請求項１８に記載のシステム。
【請求項２２】  上記復号手段（ＰＭ、Ｓ、ＺＤ）が電流計（Ｓ）を具えることを特徴とする、請求項１８に記載のシステム。
【請求項２３】  上記第２の電子制御システム（Ｍ１；ＭＣ）が、上記第１の電気的負荷（Ｌ１；Ｌ２、ＬＮ）による電力または電流吸収の存在を検出し幹線電圧の各半波に対応する供給電力または電流の連続的計測によってその存在を判定することを特徴とする、請求項１８に記載のシステム。
【請求項２４】  上記手段は、
さらに、上記第２の制御システム（Ｍ１；ＭＣ）によって制御されて、上記装置（ＳＡ；ＭＳＡ）によって上記電気機器（ＨＡ；ＨＡ１〜ＨＡ５）に供給される電力または電流の変調を行う、上記装置（ＳＡ；ＭＳＡ）の送信段または送信機（Ｔ、ＲＣ、Ｇ、ＺＤ）を具え、
上記装置（ＳＡ；ＭＳＡ）の上記送信機は、上記装置（ＳＡ；ＭＳＡ）から上記電気機器（ＨＡ；ＨＡ１〜ＨＡ５）への電気幹線の供給に対する制御された割込みによってデータまたは情報を符号化する手段（Ｔ、ＲＣ、Ｇ、ＺＤ）を具えるものであり、
上記手段は、
さらに、上記第１の制御システム（Ｍ２）によって制御されて、装置（ＳＡ；ＭＳＡ）によって供給される電力または電流の上記変調を復号する、上記電気機器（ＨＡ；ＨＡ１〜ＨＡ５）の受信段または受信機（Ｄ１、Ｄ２、Ｒ１〜Ｒ３、ＴＲ１、ＳＤ；ＲＢ、Ｒ１〜Ｒ３、ＴＲ１、ＳＤ；ＲＢ、Ｒ１、Ｒ２、ＳＤ；ＤＺ１、Ｃ１、Ｒ１’〜Ｒ３’、Ｄ１’、Ｄ２’）を具え、
上記電気機器の上記受信機は、上記制御された割込みによって表されるデータまたは情報を復号する手段（Ｄ１、Ｄ２、Ｒ１〜Ｒ３、ＴＲ１、ＳＤ；ＲＢ、Ｒ１〜Ｒ３、ＴＲ１、ＳＤ；ＲＢ、Ｒ１、Ｒ２、ＳＤ；ＤＺ１、Ｃ１、Ｒ１’〜Ｒ３’、Ｄ１’、Ｄ２’）を具えること、
を特徴とする、請求項１８に記載のシステム。
【請求項２５】  上記装置（ＳＡ；ＭＳＡ）の上記送信機（Ｔ、ＲＣ、Ｇ、ＺＤ）の上記符号化手段（Ｔ、ＲＣ、Ｇ、ＺＤ）が、イネーブル信号（Ｇ）が幹線電圧ゼロ交差を検出する信号（ＺＤ）に同期する固体スイッチまたはリレー、特にトライアック（Ｔ）を具えることを特徴とする、請求項２４に記載のシステム。
【請求項２６】  上記固体スイッチまたはリレー（Ｔ）が電気機械リレーの常閉接点（ＲＣ）に並列であることを特徴とする、請求項２５に記載のシステム。
【請求項２７】  上記電気機械リレー（ＲＣ）、上記固体スイッチまたはリレー（Ｔ）および上記同期信号（ＺＤ）が、上記第２の制御システム（Ｍ；、ＭＣ）の一部であるマイクロコントローラ（Ｍ１；ＭＣ）によって管理されることを特徴とする、請求項２５または２６に記載のシステム。
【請求項２８】  上記装置（ＳＡ；ＭＳＡ）の上記受信機（ＰＭ、Ｓ、ＺＤ）の上記復号手段（Ｄ１、Ｄ２、Ｒ１〜Ｒ３、ＴＲ１、ＳＤ；ＲＢ、Ｒ１〜Ｒ３、ＴＲ１、ＳＤ；ＲＢ、Ｒ１、Ｒ２、ＳＤ；ＤＺ１、Ｃ１、Ｒ１’〜Ｒ３’、Ｄ１’、Ｄ２’）が２つのダイオード（Ｄ１、Ｄ２）を具え、この２つのダイオード（Ｄ１、Ｄ２）のアノードが上記第１の制御システム（Ｍ２）の変圧器（ＴＦ）の特に２次側の端子に位置することを特徴とする、請求項２４に記載のシステム。
【請求項２９】  上記ダイオード（Ｄ１、Ｄ２）によって整流された上記変圧器（ＴＦ）の２次側から出力される半波が、マイクロコントローラ（Ｍ２）のディジタル信号入力（ＳＤ）に印加されるパルスを発生する抵抗分圧器（Ｒ１、Ｒ２）を介してトランジスタ（ＴＲ１）のベースに印加されることを特徴とする、請求項２８に記載のシステム。
【請求項３０】  上記装置（ＳＡ；ＭＳＡ）の上記受信機（ＰＭ、Ｓ、ＺＤ）の上記復号手段（Ｄ１、Ｄ２、Ｒ１〜Ｒ３、ＴＲ１、ＳＤ；ＲＢ、Ｒ１〜Ｒ３、ＴＲ１、ＳＤ；ＲＢ、Ｒ１、Ｒ２、ＳＤ；ＤＺ１、Ｃ１、Ｒ１’〜Ｒ３’、Ｄ１’、Ｄ２’）が、上記第１の制御システム（Ｍ２）の変圧器（ＴＦ）から出力される半波を整流するダイオード・ブリッジ（ＲＢ）を具え、マイクロコントローラ（Ｍ２）のディジタル信号入力（ＳＤ）に向けられるパルスを発生する抵抗分圧器（Ｒ１、Ｒ２）を介してその半波をトランジスタ（ＴＲ１）のベースに印加することを特徴とする、請求項２４に記載のシステム。
【請求項３１】  上記装置（ＳＡ；ＭＳＡ）の上記受信機（ＰＭ、Ｓ、ＺＤ）の上記復号手段（Ｄ１、Ｄ２、Ｒ１〜Ｒ３、ＴＲ１、ＳＤ；ＲＢ、Ｒ１〜Ｒ３、ＴＲ１、ＳＤ；ＲＢ、Ｒ１、Ｒ２、ＳＤ；ＤＺ１、Ｃ１、Ｒ１’〜Ｒ３’、Ｄ１’、Ｄ２’）が、上記第１の制御システム（Ｍ２）の変圧器（ＴＦ）の２次側の出力電圧を整流するダイオード・ブリッジ（ＲＢ）を具え、マイクロコントローラ（Ｍ２）のアナログ信号入力（ＳＤ）に印加される信号を抵抗分圧器（Ｒ１、Ｒ２）を介して発生することを特徴とする、請求項２４に記載のシステム。
【請求項３２】  電源（アウトレット）を電気機器（ＨＡ；ＨＡ１〜ＨＡ５）の電気的負荷（Ｌａ；Ｌ２、ＬＮ）に接続する電線上に動作上設定され、請求項１乃至１７のいずれかに記載の方法を実行するおよび／または請求項１８乃至３１のいずれかに記載のシステムにおいて用いられる監視または制御装置であって、
上記装置（ＳＡ；ＭＳＡ）は、電子制御システム（Ｍ１；ＭＣ）と、上記電気的負荷（Ｌ１；Ｌ２；ＬＮ）の電力または電流の制御された吸収を復号することによってデータまたは情報を受信する手段とを具えるものである、
監視または制御装置。
【請求項３３】  上記電気機器（ＨＡ；ＨＡ１〜ＨＡ５）によってそれぞれの瞬間に吸収される電流を計測する手段（ＰＭ、Ｓ）と、上記電気機器（ＨＡ；ＨＡ１〜ＨＡ５）に供給される幹線電圧を測定する手段（ＰＭ）と、上記電気機器（ＨＡ；ＨＡ１〜ＨＡ５）によって表される電気的負荷の力率（φ）を計測する手段（ＰＭ）と、上記電気機器（ＨＡ；ＨＡ１〜ＨＡ５）によってそれぞれの瞬間に吸収される電力を計測する手段（ＰＭ、Ｓ）と、上記電気機器（ＨＡ；ＨＡ１〜ＨＡ５）によって消費される電気エネルギを計測する手段（ＰＭ）と、或る時間期間において幹線電圧の過大電圧および電圧低下を計測する手段（ＰＭ）と、上記電気機器（ＨＡ；ＨＡ１〜ＨＡ５）を遠隔制御する手段（Ｎ、ＲＣ）と、上記電気機器（ＨＡ；ＨＡ１〜ＨＡ５）の動作状態に関する情報を発生する手段（Ｍ１）と、上記電気機器（ＨＡ；ＨＡ１〜ＨＡ５）の動作および／または上記電気機器を操作する人による使用モードに関する統計データを生成する手段（Ｍ１）と、上記電気機器（ＨＡ；ＨＡ１〜ＨＡ５）の動作に関する診断情報を生成する手段（Ｍ１）と、外部環境（Ｎ）との間で、特に電線システムを介して、対話する対話手段と、からなる群の中から選択された１つ以上の手段を具えることを特徴とする、請求項３２に記載の装置。
【請求項３４】  モデム（ＰＬＭ）を含む通信ノード（Ｎ）を具えることを特徴とする、請求項３２に記載の装置。
【請求項３５】  上記電気機器（ＨＡ；ＨＡ１〜ＨＡ５）から到来する情報またはデータを格納するメモリ手段（ＭＥＭ）、特にＥＥＰＲＯＭタイプの不揮発性メモリを具えることを特徴とする、請求項３２乃至３４のいずれかに記載の装置。
【請求項３６】  複数の電力計（ＰＭ）を具えることを特徴とする、請求項３２乃至３５のいずれかに記載の装置。
【請求項３７】  複数の電流計（Ｓ）を具えることを特徴とする、請求項３２乃至３６のいずれかに記載の装置。
【請求項３８】  対応する数の電気機器（ＨＡ１〜ＨＡ５）に供給される電力または電流の変調を行う複数のそれぞれの送信機（Ｔ、ＲＣ、Ｇ、ＺＤ）を具えることを特徴とする、請求項３２乃至３７のいずれかに記載の装置。
【請求項３９】  対応する数の電気機器（ＨＡ１〜ＨＡ５）の上記電気的負荷（Ｌ１；Ｌ２、ＬＮ）によって吸収される電力または電流の変調を復号する複数のそれぞれの受信機（ＰＭ、Ｓ、ＺＤ）を具えることを特徴とする、請求項３２乃至３８のいずれかに記載の装置。
【請求項４０】  電線によって電源（アウトレット）に動作上接続され、請求項１乃至１７のいずれかに記載の方法を実行する、および／または請求項１８乃至３１のいずれかに記載のシステムにおいて用いられる電気機器、特に家庭用電気機器であって、
上記電気機器（ＨＡ；ＨＡ１〜ＨＡ５）は、電子制御システム（Ｍ２）、電気的負荷（Ｌ１；Ｌ２、ＬＮ）、および上記第１の電気的負荷（Ｌ１；Ｌ２、ＬＮ）の電力および電流の制御された吸収によるデータまたは情報の送信機を具えるものである、
電気機器。
【請求項４１】  別の用途の複数のそれぞれの送信機（Ｌ１、Ｔ１、０１、Ｌ２、Ｔ２、Ｏ２、ＬＮ、ＴＮ、ＬＮ）を具え、
上記制御システム（Ｍ２）が、上記送信機の中の少なくとも第１の送信機（Ｌ１、Ｔ１、０１）の見込まれる誤動作を検出する手段と具え、従って、データまたは情報の通信のために上記送信機（Ｌ２、Ｔ２、Ｏ２、ＬＮ、ＴＮ、ＬＮ）の中の第２の送信機を用いることを特徴とする、
請求項４０に記載の電気機器。